(57)【特許請求の範囲】
【請求項１】
おもちゃを中心とするコミュニティ活動の方法であって、
第１携帯装置により第１おもちゃの無線ネットワークモジュールを設定することで、前記第１おもちゃを無線ネットウーク基地局へ接続するステップと、
前記第１携帯装置にダウンロードされたアプリケーションによって、コミュニティサーバへ接続し、且つユーザグループを構築するステップと、
前記無線ネットウーク基地局を利用して、前記第１おもちゃを前記コミュニティサーバへ接続し、且つ前記ユーザグループに加入するステップと、
第２携帯装置にダウンロードされた前記アプリケーションによって、前記コミュニティサーバへ接続し、前記第２携帯装置を前記ユーザグループに加入するステップと、
前記アプリケーションによって、前記第１携帯装置及び前記第２携帯装置の少なくとも一つからの第１音声メッセージを前記コミュニティサーバを介して前記第１おもちゃに伝送し、且つ前記第１おもちゃの音声発生モジュールにより前記第１音声メッセージを再生するステップと、
前記第１おもちゃの録音モジュールにより第２音声メッセージを録音して、前記第２音声メッセージを前記コミュニティサーバを介して前記ユーザグループ中の特定又はすべての携帯装置に伝送するステップと、を含み、
前記第１おもちゃは、さらに無線通信モジュールを備え、前記第１おもちゃが第２おもちゃに接近する時、前記第２おもちゃの無線通信モジュールとの相互誘導によって接続され、且つ前記第１おもちゃ或いは前記第２おもちゃが前記コミュニティサーバへ接続する時に、審査ステップを経て相方のおもちゃを前記ユーザグループに加入することを特徴とする、おもちゃを中心とするコミュニティ活動の方法。
【請求項２】
前記第２おもちゃをコミュニティサーバへ接続するように設定し、且つ前記第２おもちゃを前記ユーザグループに加入し、前記第２おもちゃが前記ユーザグループから前記第１音声メッセージを受信し、且つ第３音声メッセージを録音して、前記第３音声メッセージを前記ユーザグループ中の前記第１おもちゃ又は任意の携帯装置に伝送するステップと、を含むことを特徴とする、請求項１に記載のおもちゃを中心とするコミュニティ活動の方法。
【請求項３】
前記第１おもちゃは、音声認識により前記ユーザグループ中の特定又はすべての携帯装置に伝送することを決定することを特徴とする、請求項１に記載のおもちゃを中心とするコミュニティ活動の方法。
【請求項４】
前記第１おもちゃは、画像認識により前記ユーザグループ中の特定又はすべての携帯装置に伝送することを決定することを特徴とする、請求項１に記載のおもちゃを中心とするコミュニティ活動の方法。
【請求項５】
前記第１携帯装置及び前記第２携帯装置の少なくとも一つは、入力した文字メッセージを、音声合成により前記第１音声メッセージに変換することを特徴とする、請求項１に記載のおもちゃを中心とするコミュニティ活動の方法。
【請求項６】
前記第１おもちゃ又は前記第２おもちゃは、ぬいぐるみ、人形、フィギュア又はロボット等のおもちゃであることを特徴とする、請求項１又は２に記載のおもちゃを中心とするコミュニティ活動の方法。
【請求項７】
おもちゃを中心とするコミュニティ活動の装置であって、
マイクロコントローラーと、前記マイクロコントローラーにそれぞれ接続されている無線ネットワークモジュールと、無線通信モジュールと、音声発生モジュールと、録音モジュールとを備える第１おもちゃと、
無線通信モジュールを備える第２おもちゃと、
無線ネットワークモジュールが設置され、且つインストールされたアプリケーションによって、前記第１おもちゃを無線ネットワーク基地局へ接続するように設定し、前記アプリケーションによって、コミュニティサーバへ接続し、且つユーザグループを設定する第１携帯装置と、
インストールされた前記アプリケーションによって、前記コミュニティサーバへ接続し、且つ前記ユーザグループに加入する第２携帯装置と、
を備え、
前記第１おもちゃは、前記無線ネットワーク基地局によって、前記コミュニティサーバへ接続し、且つ前記ユーザグループに加入することにより、前記第１携帯装置又は前記第２携帯装置からの第１音声メッセージを受信し、前記第１おもちゃの前記音声発生モジュールにより前記第１音声メッセージを再生し、且つ前記録音モジュールを介して第２音声メッセージを録音して、前記ユーザグループ中の特定又はすべての携帯装置に伝送し、
前記第１おもちゃが前記第２おもちゃに接近する時、前記無線通信モジュールの相互誘導によって接続され、且つ前記第１おもちゃ或いは前記第２おもちゃが前記コミュニティサーバへ接続する時に、審査ステップを経て相方のおもちゃを前記ユーザグループに加入することを特徴とする、おもちゃを中心とするコミュニティ活動の装置。
【請求項８】
前記第２おもちゃが、前記コミュニティサーバへ接続して、前記ユーザグループに加入して、前記ユーザグループから前記第１音声メッセージを受信し、且つ第３音声メッセージを録音して、前記第３音声メッセージを前記ユーザグループ中の前記第１おもちゃ又は任意の携帯装置に伝送することを特徴とする、請求項７に記載のおもちゃを中心とするコミュニティ活動の装置。
【請求項９】
前記第１おもちゃには、前記マイクロコントローラーに接続された音声認識モジュールを備え、前記第１おもちゃは、音声認識により前記第２音声メッセージを伝送する対象を決定することを特徴とする、請求項７に記載のおもちゃを中心とするコミュニティ活動の装置。
【請求項１０】
前記第１おもちゃには、前記マイクロコントローラーに接続された画像認識モジュールを備え、前記第１おもちゃは、画像認識により前記第２音声メッセージを伝送する対象を決定することを特徴とする、請求項７に記載のおもちゃを中心とするコミュニティ活動の装置。
【請求項１１】
前記第１携帯装置及び前記第２携帯装置の少なくとも一つには、前記第１携帯装置及び前記第２携帯装置に入力した文字メッセージを前記第１音声メッセージに変換する音声合成モジュールを備えることを特徴とする、請求項７に記載のおもちゃを中心とするコミュニティ活動の装置。
【請求項１２】
前記第１おもちゃ又は前記第２おもちゃは、ぬいぐるみ、人形、フィギュア又はロボット等のおもちゃであることを特徴とする、請求項８に記載のおもちゃを中心とするコミュニティ活動の装置。
【発明の詳細な説明】
【技術分野】
【０００１】
本発明は、コミュニティ活動の方法及びその装置に関し、特に、おもちゃを中心とする、おもちゃのユーザとその知り合いに繋がるコミュニティ活動の方法及びその装置に関するものである。
【背景技術】
【０００２】
現在、携帯用電子装置の普及及びネットワーク通信技術の発達により、各種のコミュニケーション用のソフトウェア又はアプリケーションが絶えずリリースされ、一般の人々はスマートフォン又はタブレットパソコンを持っていれば、家族や友人と手軽に連絡を取ることができる。ネットワークの範囲内であれば、文字メッセージにしても音声メッセージにしても、距離を問わずにインターネットを介して相手の電子装置に伝送することができる。これらのコミュニケーション用のソフトウェア又はアプリケーションを通して、人と人との間のコミュニケーションが従来から大きく変わってきた。
【０００３】
上記のコミュニケーション用のソフトウェア又はアプリケーションにとって、ほとんどがグループ機能を備え、ユーザは、異なる友人の分類に基づいてそれぞれのグループを作成して、メッセージをグループ中の友人に通知する必要があれば、ただグループで投稿するだけで、グループ全員にすぐに伝送することができ、個別の友人に伝送することもできる。しかし、このようなコミュニケーションの方法を使う条件は、互いに同じソフトウェア又はアプリケーションをインストール可能な電子装置を持つ必要があり、たとえば、アプリケーションをインストール不可能な携帯電話を使用する場合、このグループに加入してコミュニケートすることができない。また、たとえばスマートフォンを持っていない子供の場合、両親又は知り合いのメッセージを、グループを介して即時伝達することができない（下記特許文献１参照）。
【０００４】
本発明は、インテリジェント電子装置を使用しなくても、グループに加入してコミュニケートできる方法及びその装置を提供するものである。日常生活において身の回りにあるおもちゃを中心とするグループを作成し、周りのヒューマンネットワークに繋がり、交流機能を有するコミュニティを作成する。
【先行技術文献】
【特許文献】
【０００５】
【特許文献１】特開２０１１−１０３６１６号公報
【発明の概要】
【発明が解決しようとする課題】
【０００６】
本発明は、上記従来技術の問題点に鑑みてなされたもので、おもちゃを中心とするコミュニティ活動の方法及びその装置を提供することを目的とする。これにより、従来のコミュニケーション用のソフトウェア又はアプリケーションが、インテリジェント電子装置のみ使用可能であり、その装置を持っていないユーザがコミュニケートできないという問題を解決するため、日常生活において身の回りにあるおもちゃを中心とするコミュニティグループを作成し、且つグループにあるユーザとコミュニケートすることができる方法及びその装置を提供する。
【課題を解決するための手段】
【０００７】
本発明の一目的により、おもちゃを中心とするコミュニティ活動の方法を提供し、その方法は、下記のステップを含む。つまり、第１携帯装置により第１おもちゃの無線ネットワークモジュールを設定することで、第１おもちゃを無線ネットワーク基地局へ接続するステップと、第１携帯装置にダウンロードされたアプリケーションによって、コミュニティサーバへ接続し、且つユーザグループを作成するステップと、無線ネットワーク基地局を利用して、第１おもちゃをコミュニティサーバへ接続し、且つユーザグループに加入するステップと、第２携帯装置にダウンロードされたアプリケーションによって、コミュニティサーバへ接続し、且つ第２携帯装置をユーザグループに加入するステップと、アプリケーションによって、第１携帯装置及び第２携帯装置の少なくとも一つからの第１音声メッセージを、コミュニティサーバを介して第１おもちゃに伝送し、且つ第１おもちゃの音声発生モジュールにより第１音声メッセージを再生するステップと、第１おもちゃの録音モジュールにより第２音声メッセージを録音して、第２音声メッセージを、コミュニティサーバを介してユーザグループ中の特定又はすべての携帯装置に伝送するステップと、を含み、前記第１おもちゃは、さらに無線通信モジュールを備え、前記第１おもちゃが第２おもちゃに接近する時、前記第２おもちゃの無線通信モジュールとの相互誘導によって接続され、且つ前記第１おもちゃ或いは前記第２おもちゃが前記コミュニティサーバへ接続する時に、審査ステップを経て相方のおもちゃを前記ユーザグループに加入する。
【０００８】
より好ましいのは、このおもちゃを中心とするコミュニティ活動の方法は、第２おもちゃをコミュニティサーバへ接続するように設定し、且つユーザグループに加入し、第２おもちゃがユーザグループから第１音声メッセージを受信し、且つ第３音声メッセージを録音して、その第３音声メッセージをユーザグループ中の第１おもちゃ又は任意の携帯装置に伝送するステップとを更に含んでもよい。
【００１０】
より好ましいのは、第１おもちゃは、音声認識によりユーザグループ中の特定又はすべての携帯装置に伝送することを決定してもよい。
【００１１】
より好ましいのは、第１おもちゃは、画像認識によりユーザグループ中の特定又はすべての携帯装置に伝送することを決定してもよい。
【００１２】
より好ましいのは、第１携帯装置及び第２携帯装置の少なくとも一つは、入力した文字メッセージを音声合成により前記第１音声メッセージに変換してもよい。
【００１３】
より好ましいのは、第１おもちゃ又は第２おもちゃは、ぬいぐるみ、人形、フィギュア又はロボット等のおもちゃであってもよい。
【００１４】
本発明の別の目的により、第１おもちゃと、第２おもちゃと、第１携帯装置と、第２携帯装置とを備えるおもちゃを中心とするコミュニティ活動の装置を提供する。第１おもちゃは、マイクロコントローラーと、マイクロコントローラーにそれぞれ接続されている無線ネットワークモジュールと、無線通信モジュールと、音声発生モジュールと、録音モジュールとを備える。第２おもちゃは、無線通信モジュールを備える。第１携帯装置は、無線ネットワークモジュールが設置され、且つインストールされたアプリケーションによって、第１おもちゃを無線ネットワーク基地局へ接続するように設定し、当該アプリケーションによって、コミュニティサーバへ接続し、且つユーザグループを設定する。第２携帯装置は、インストールされたアプリケーションによって、コミュニティサーバへ接続し、且つユーザグループに加入する。第１おもちゃは、無線ネットワーク基地局によって、コミュニティサーバへ接続し、且つユーザグループに加入することにより、第１携帯装置又は第２携帯装置からの第１音声メッセージを受信し、第１おもちゃの音声発生モジュールにより第１音声メッセージを再生し、且つ前記録音モジュールを介して第２音声メッセージを録音して、ユーザグループ中の特定又はすべての携帯装置に伝送し、前記第１おもちゃが前記第２おもちゃに接近する時、前記無線通信モジュールの相互誘導によって接続され、且つ前記第１おもちゃ或いは前記第２おもちゃが前記コミュニティサーバへ接続する時に、審査ステップを経て相方のおもちゃを前記ユーザグループに加入する。
【００１５】
より好ましいのは、その第２おもちゃが、コミュニティサーバへ接続して、ユーザグループに加入して、ユーザグループから第１音声メッセージを受信し、且つ第３音声メッセージを録音して、その第３音声メッセージをユーザグループ中の第１おもちゃ又は任意の携帯装置に伝送する。
【００１７】
より好ましいのは、第１おもちゃには、マイクロコントローラーに接続された音声認識モジュールを備えてもよい。第１おもちゃは、音声認識により第２音声メッセージを伝送する対象を決定する。
【００１８】
より好ましいのは、第１おもちゃには、マイクロコントローラーに接続された画像認識モジュールを備えてもよい。第１おもちゃは、画像認識により第２音声メッセージを伝送する対象を決定する。
【００１９】
より好ましいのは、第１携帯装置及び第２携帯装置の少なくとも一つには、第１携帯装置及び第２携帯装置に入力した文字メッセージを、音声合成により第１音声メッセージに変換する音声合成モジュールを備えてもよい。
【００２０】
より好ましいのは、第１おもちゃ又は第２おもちゃは、ぬいぐるみ、人形、フィギュア又はロボット等のおもちゃであってもよい。
【発明の効果】
【００２１】
上記説明したとおり、本発明に係るおもちゃを中心とするコミュニティ活動の方法及びその装置は、以下に示す１つまたは複数の長所を有する。
【００２２】
（１）このおもちゃを中心とするコミュニティ活動の方法及びその装置は、おもちゃを中心として身の回りの友人と繋がるグループを作成し、且つおもちゃもコミュニケーション可能な一つの装置となり、コミュニケーションの楽しさを増やすことができる。
【００２３】
（２）このおもちゃを中心とするコミュニティ活動の方法及びその装置は、音声認識又は画像認識によって、メッセージを伝送する対象を決定することができ、タッチパネル又はキーボードでの操作が不要になることで、操作の便利さを向上することができる。
【００２４】
（３）このおもちゃを中心とするコミュニティ活動の方法及びその装置は、マイクロコントローラーにより、おもちゃ内の各種の操作モジュールを制御し、且つスマートフォンのように複雑且つ膨大なＯＳを搭載する必要がなく、おもちゃの起動又は終了時間を短縮できることで、優れた省エネ機能を有する。
【図面の簡単な説明】
【００２５】
【図１】本発明に係るおもちゃを中心とするコミュニティ活動の方法の流れ図である。
【図２Ａ】本発明に係るおもちゃを中心とするコミュニティ活動の方法の模式図である。
【図２Ｂ】本発明に係るおもちゃを中心とするコミュニティ活動の方法の模式図である。
【図３】本発明に係るおもちゃを中心とするコミュニティ活動の装置のブロック図である。
【図４】本発明に係るおもちゃの構造のブロック図である。
【図５】本発明に係る別のおもちゃを中心とするコミュニティ活動の方法のブロック図である。
【発明を実施するための形態】
【００２６】
本発明をより完全に理解するために、本発明の技術特徴、内容と長所及びそれが達成できる作用効果については、添付図面を参照して、実施例の表現形式で以下のように詳細に説明される。しかし、図示された図面は、単に例示または明細書の内容を補助する目的としたものであって、本発明の実施後の原寸に比例したものや精確に配置したものには何ら拘束されない。したがって、図示された図面は、添付図面の比例と配置関係で解釈されてはならず、本発明を実際に実施する権利範囲に制限することを意図したものではないことについて先に説明しておきたい。
【００２７】
図１は、本発明に係るおもちゃを中心とするコミュニティ活動の方法の流れ図である。図１に示すように、当該方法は、下記のステップを含む。Ｓ１において、第１携帯装置により第１おもちゃの無線ネットワークモジュールを設定することで、第１おもちゃを無線ネットワーク基地局へ接続する。Ｓ２において、第１携帯装置にダウンロードされたアプリケーションによって、コミュニティサーバへ接続し、且つユーザグループを作成する。Ｓ３において、無線ネットワーク基地局を利用して、第１おもちゃをコミュニティサーバへ接続し、且つユーザグループに加入する。Ｓ４において、第２携帯装置にダウンロードされたアプリケーションによって、コミュニティサーバへ接続し、且つ第２携帯装置をユーザグループに加入する。Ｓ５において、アプリケーションによって、第１携帯装置及び第２携帯装置の少なくとも一つの第１音声メッセージを、コミュニティサーバを介して第１おもちゃに伝送し、且つ第１おもちゃの音声発生モジュールにより第１音声メッセージを再生する。Ｓ６において、第１おもちゃの録音モジュールにより第２音声メッセージを録音して、第２音声メッセージを、コミュニティサーバを介してユーザグループ中の特定又はすべての携帯装置に伝送する。
【００２８】
上記の方法の流れ図に示すステップにおいて、第１おもちゃは、各種の外形を有するおもちゃであってもよい、たとえば、ぬいぐるみ、フィギュア又はロボット等のおもちゃであるが、これらに限定されない。第１携帯装置は、スマートフォン、タブレットＰＣ又はノートパソコン等であってもよく、その装置を備える無線ネットワークモジュール、例えば、ＷｉＦｉ、３ＧやＬＴＥ等によって、インターネットに接続し、おもちゃに対応するアプリケーション（ＡＰＰ）をダウンロードしてインストールする。そして、このアプリケーションによって、ＷｉＦｉ、ブルートゥース（登録商標）等の短距離無線通信を介して第１おもちゃと接続し、第１おもちゃのモノのインターネットの無線モジュール、ＷｉＦｉ又はブルートゥース等の無線ネットワークモジュールを家中の無線ネットワーク基地局へ接続するように設定することができる。第１おもちゃの設定が完了した後に、第１携帯装置を業者が提供したコミュニティサーバに接続することができ、且つサーバに専用のユーザグループを作成する。この時、第１おもちゃも無線ネットワーク基地局によってコミュニティサーバへ接続し、且つ業者が提供したシリアル番号でログインする。ユーザは、アプリケーションにより第１おもちゃ及びユーザグループを命名することができる。また、第１携帯装置及び第１おもちゃ以外に、他の第２携帯装置を招待することもでき、その招待対象は、第１携帯装置における他のコミュニケーション用のアプリケーションにある友人又は連絡先のグループにある家族であってもよい。よって、第２携帯装置は、一つ又は複数のスマートフォン又はタブレットＰＣであってもよく、且つインストールされたアプリケーションによって、コミュニティサーバに接続し、作成したユーザグループに加入することで、コミュニケート可能なグループとなる。ここで、第１携帯装置及び第２携帯装置のいずれでも、メッセージ（例えば、音声メッセージ）をユーザグループに伝送することができる。そして、接続した第１おもちゃは、このメッセージを読み取って、第１おもちゃ内のスピーカーを介して音声メッセージを再生することができる。また、第１おもちゃも録音装置を介して応答メッセージを録音して、ユーザグループに伝送し、グループにあるすべてのユーザがその応答メッセージを聞き取ることができる。
【００２９】
図２Ａは、本発明に係るおもちゃを中心とするコミュニティ活動の方法の模式図である。図２Ａを参照して、父親の携帯電話２ａを娘に贈ったおもちゃ１に接続して、携帯電話２ａによりおもちゃ１内の無線ネットワークを設定して、そのおもちゃ１を家中の無線ネットワーク基地局３に接続することができる。そして、父親は、携帯電話２ａのＷｉＦｉモジュールによって、家中の無線ネットワーク基地局３に接続する又は携帯電話２ａの３Ｇや４Ｇという無線ネットワークモジュールによって、インターネットに接続することで、ダウンロードされたアプリケーションを利用し、クラウドサーバのコミュニティサーバ４に家族のユーザグループ４ａを作成することができる。そして、娘のおもちゃ１も無線ネットワーク基地局３によって、コミュニティサーバ４に接続し、且つ家族のユーザグループ４ａに加入することができる。その時、父親の携帯電話２ａによって、グループの招待を母親の携帯電話２ｂ、叔父のタブレットＰＣ２ｃ等に通知することができ、その携帯電話２ｂ及びタブレットＰＣ２ｃもアプリケーションをダウンロードして、且つコミュニティサーバ４に接続し、家族のユーザグループ４ａに加入することもできる。また、叔父のタブレットＰＣ２ｃによって、息子に贈ったおもちゃ２ｄをミュニティサーバ４に接続し、且つ家族のユーザグループ４ａに加入することもできる。上記の設定が完了した後に、ユーザグループ４ａには、娘のおもちゃ１、両親の携帯電話２ａ、２ｂ、叔父のタブレットＰＣ２ｃ及び息子のおもちゃ２ｄを含む。また、ユーザグループ４ａのユーザの数は限定されず、上記のユーザの以外に、新たな携帯装置又はおもちゃを加入し続けることもできる。両親は伝えたいことがあれば、携帯電話２ａ、２ｂによって音声メッセージを録音して、ユーザグループ４ａに伝送することができると共に、娘のおもちゃ１及び息子のおもちゃ２ｄは、クラウドサーバに接続し、そしてこのメッセージにアクセスし、且つおもちゃ１、２ｄのスピーカーを介してこのメッセージを再生することができる。また、娘もおもちゃ１を利用して応答メッセージを録音して、ユーザグループ４ａに伝送することができ、そのメッセージを母親の携帯電話２ｂにだけ又はグループにあるすべてのユーザに伝送することを選択することができる。その選択の方法については後述する。
【００３０】
図２Ｂは、本発明に係るおもちゃを中心とするコミュニティ活動の方法のもう一つの態様を示す模式図である。図２Ｂを参照して、娘のおもちゃ１が屋外又は家の無線ネットワークの有効範囲外に持ち出された場合、例えば、郊外に遠足に行く時に、もし同じようにおもちゃ２ｅを持った学友や友達と出会った場合、二つのおもちゃ１と２ｅを接近させることで、おもちゃ内部に設置された無線通信モジュールを介して相互接続させることができる。その時、娘のおもちゃ１は、友達のおもちゃ２ｅを記憶し、家に戻れたら、クラウドサーバのコミュニティサーバ４に接続して、友達のおもちゃ２ｅをユーザグループ４ａに加入することができる。本実施例の無線通信モジュールは、２．４ＧＨｚ帯の無線通信チップであっても良いが、それに限定されず、近距離無線通信可能なＮＦＣ、ＲＦＩＤ、ブルートゥースなどの技術も、本発明の無線通信モジュールとして利用することができる。なお、娘のおもちゃ１が友達のおもちゃ２ｅをユーザグループ４ａに加入する時、さらに保護者の同意が必要な審査ステップを含むように設定することも可能で、知らないおもちゃをグループに加入することを防ぐ、グループの安全性をさらに高めることができる。
【００３１】
図３は、本発明に係るおもちゃを中心とするコミュニティ活動の装置のブロック図である。図３を参照して、おもちゃを中心とするコミュニティ活動の装置は、第１おもちゃ１０、第１携帯装置２０、第２携帯装置３０ａ、第２おもちゃ３０ｂ及びコミュニティサーバ４０を備える。その中に、図３には一つの第２携帯装置３０ａ及び一つの第２おもちゃ３０ｂをしか示してないが、本発明に限定されない。おもちゃを中心とするコミュニティ活動の装置は一つ又は複数の第２携帯装置３０ａ及び第２おもちゃ３０ｂを含んでもよい。第１おもちゃ１０の内部にマイクロコントローラー１００が設けられ、且つマイクロコントローラー１００にそれぞれ接続されている無線ネットワークモジュール１０１と、音声発生モジュール１０２と、録音モジュール１０３とを備える。その中に、無線ネットワークモジュール１０１は、モノのインターネットの無線モジュールであることが好ましい。これにより、第１おもちゃ１０が、電子デジタルの標識タグまたは指定アドレスに基づいて、インターネットの環境において、相互に接続し通信することができる。音声発生モジュール１０２は、音声を再生するスピーカーであり、受信した音声メッセージを再生する。録音モジュール１０３は、主に収音マイク及び記憶装置を備えるものであり、おもちゃに話した内容を録音して記憶する。そして、無線ネットワークモジュール１０１によって特定のグループに伝送する。
【００３２】
第１携帯装置２０に対して、無線ネットワークモジュール２００及びインストールされたアプリケーション２０１を備える。第１携帯装置２０は、スマートフォン、タブレットＰＣ又はノートパソコン等の携帯用電子装置であってもよい。第１携帯装置２０は、無線ネットワークモジュール２００及びアプリケーション２０１によって、第１おもちゃ１０のネットワークを接続設定すると共に、アプリケーション２０１によって、クラウドサーバのコミュニティサーバ４０へ接続し、その中に専用のユーザグループ４００を作成し、且つ第１おもちゃ１０が接続設定を完了した後に、コミュニティサーバ４０へ接続し、ユーザグループ４００にログインすることができる。ユーザグループに、第１携帯装置２０によって一つ又は複数の第２携帯装置３０ａ及び第２おもちゃ３０ｂを加入して設定することもできる。第２携帯装置３０ａは、他の知り合いのインテリジェント電子装置であってもよく、第２おもちゃ３０ｂは、おもちゃ１０と同じような機能を有する装置であってもよい。上記装置が接続設定を完了した後に、第１おもちゃ１０、第１携帯装置２０、第２携帯装置３０ａ及び第２おもちゃ３０ｂは、いずれもユーザグループ４００に属し、音声メッセージの伝送によってコミュニケートすることができる。また、第１おもちゃ１０と第２おもちゃ３０ｂには、さらに無線通信モジュールを設置してもよく、二つのおもちゃが互いに接近する時にそれを介して相互接続を行い、互いの装置を記憶して、そして、それぞれのコミュニティサーバへ接続した時に、互いの装置をそれぞれのユーザグループに加入することもできる。
【００３３】
図４は、本発明に係るおもちゃの構造のブロック図である。図４を参照して、おもちゃ１１は、マイクロコントローラー１１０及びモノのインターネットの無線モジュール１１１を備え、それを相互に連結し、電源供給装置１１８から電力が提供される。マイクロコントローラー１１０は、従来の一般的なアプリケーションのプロセッサに比べて、省エネ機能が向上する他、膨大なＬｉｎｕｘ（登録商標）又はＡｎｄｒｏｉｄ（登録商標）のＯＳを搭載する必要がないため、起動又は終了速度を向上することで、即時使用という需要に応じることができる。また、モノのインターネットの無線モジュール１１１はアンテナを備え、且つＸＭＰＰというインスタントメッセージングサービスを利用することで、おもちゃ１１をコミュニティサーバのグループへ接続し、コミュニケートすることを行う。
【００３４】
また、マイクロコントローラー１１０は、また音声発生モジュール１１２、音声モジュール１１３及び画像モジュール１１４に接続されている。音声発生モジュール１１２は、音声を再生するスピーカーを備え、主にメッセージを出力する装置として働く。音声モジュール１１３及び画像モジュール１１４は、主要な入力装置である。音声モジュール１１３は、収音マイク及び記憶装置を備え、これによって、使用者がおもちゃ１１に話した内容を録音し、音声メッセージに変換されて、コミュニティグループに伝送することができる。音声モジュールには、さらに音声認識の機能を有する。メッセージを伝送する前に、おもちゃ１１に予定の命令を話すことで、音声メッセージをグループ中の伝えたい対象に伝送することができる。例えば、一区切りのメッセージを録音した場合に、おもちゃに「送信」という命令を出せば、録音したメッセージをコミュニティグループに伝送し、グループにあるすべてのユーザが受信することができる。一方、おもちゃに「コール」及び「お父さん」という命令を出せば、音声認識した後に、録音したメッセージを父親の携帯電話だけに伝送することができる。この音声モジュール１１３によって、おもちゃ１１とグループの間にコミュニケーションの多様化を可能にする。
【００３５】
また、おもちゃ１１は、さらに画像モジュール１１４が設置されることも可能で、画像モジュール１１４は、主に写真を撮影する撮像装置及び記憶装置を備え、撮像装置により使用者がさまざまな写真を撮影し、グループに伝送してシェアすることができる。これにより、おもちゃ１１は音声メッセージを伝送する以外に、画像メッセージを伝送することも可能で、コミュニケーションの楽しさを増やすことができる。同時に、画像モジュール１１４も、音声モジュール１１３のように認識の機能を有することで、メッセージを伝送する前に、おもちゃに予定の命令を出すと共に、グループにあるユーザの写真を撮影し、画像認識した後に、音声又は画像メッセージを特定対象に伝送することができる。例えば、おもちゃに「コール」という命令を出すと共に、予め用意した母親の写真を撮影し、画像認識により録音したメッセージ又は撮影した写真を、グループ全員ではなく、母親の携帯電話だけに伝送する。最後に、おもちゃ１１にセンサモジュール（図示しない）が設置されば、それを入力装置として用いることも可能であり、検出した動作に基づいて、使用者がおもちゃに出す命令を認識できることで、コミュニケーション機能をさらに向上することができる。
【００３６】
図５は、本発明に係るもう一つのおもちゃを中心とするコミュニティ活動の方法のブロック図である。上記の実施例は、主に子供が遊んでいるおもちゃによって家族との間のコミュニティグループに応用するが、本発明はそれに限定されない。グループの設定は、両親や兄弟等の家族以外に、学友、同僚、友人、隣人等もそれぞれのグループを作成することができる。例えば、アイドルとファンの間のファンクラブ等のファングループを作成することができる。現在、アイドルとファンの間に大抵フォーラム等に文字での交流が行われている。しかし、本発明の音声メッセージ及びコミュニケーションの機能によって、より特別なファングループの交流形態を設定することができる。図５を参照して、アイドル５０は、クラウドサーバに個人のファングループ５１を自分で作成することができ、又は管理者５２に依頼してこのファングループ５１を作成することができる。そして、アイドルの格好をモデルにアイドルフィギュア５３をデサインし、且つ上記の実施例のような機能を有するおもちゃを設定する。ファンは、アイドルフィギュア５３を購入した後に、ネットでファングループ５１に加入することができる。このグループにおいて、アイドル５０は自分のフィギュア又は携帯装置を利用して、伝言又は録音した曲を、ファングループ５１を介して各アイドルフィギュア５３に伝送することで、ファンは直接にアイドル５０の声を聞くことができる。また、ファンも質問又は応援メッセージを録音し、ファングループ５１に伝送することができる。ファンの人数が多い可能性があることで、アイドル５０はそれぞれに応答メッセージを録音することができない。その時、管理者５２は、携帯装置に設置された音声変換モジュールによって、伝言に対して返事をすることができ、且つ返事するメッセージをアイドル５０の音声に変換してファンに伝送することができる。しかも、ファンの間にもアイドルフィギュア５３を介して相互にメッセージを伝送し、ファングループ５１でイベント、集まり等を催すことで、ファングループ５１のコミュニケーションを一層盛り上げることができる。
【００３７】
以上は実施態様の列挙であり、本発明になんらの制限が加わるものではない。本発明の精神と範囲を逸脱しない限り、その効果修正又は変更は、なお、本明細書の特許請求の範囲に含まれるものとする。
【符号の説明】
【００３８】
１、２ｄ、２ｅ、１１：おもちゃ、
２ａ、２ｂ：携帯電話、
２ｃ：タブレットＰＣ、
３：無線ネットワーク基地局、
４、４０：コミュニティサーバ、
４ａ、４００：ユーザグループ、
１０：第１おもちゃ、
２０：第１携帯装置、
３０ａ：第２携帯装置、
３０ｂ：第２おもちゃ、
５０：アイドル、
５１：ファングループ、
５２：管理者、
５３：アイドルフィギュア、
１００、１１０：マイクロコントローラー、
１０１、２００：無線ネットワークモジュール、
１０２、１１２：音声発生モジュール、
１０３：録音モジュール、
１１１：モノのインターネットの無線モジュール、
１１３：音声モジュール、
１１４：画像モジュール、
１１７：アンテナ、
１１８：電源供給装置、
２０１：アプリケーション、
Ｓ１〜Ｓ６：ステップ。
【要約】
【課題】おもちゃを中心とするコミュニティ活動の方法及びその装置を提供することである。
【解決手段】携帯装置によりおもちゃの無線ネットワークモジュールを無線ネットワーク基地局へ接続するように設定し、そして携帯装置をコミュニティサーバへ接続し、且つユーザグループを作成し、おもちゃをコミュニティサーバへ接続し、且つユーザグループに加入することができ、他の携帯装置又は他のおもちゃも接続して、このユーザグループに加入することができる。グループ設定が完了した後に、携帯装置はコミュニティサーバを介して音声メッセージをおもちゃに伝送し、且つ音声発生モジュールを介して音声メッセージを再生することができ、おもちゃも応答メッセージを録音して、ユーザグループの全員又は特定メンバーに伝送することができる。これにより、おもちゃ及びすべてのグループメンバーは、このユーザグループにおいてコミュニケートすることができる。
【選択図】図１【図１】
0005851579.tif 000002
【図２Ａ】
0005851579.tif 000003
【図２Ｂ】
0005851579.tif 000004
【図３】
0005851579.tif 000005
【図４】
0005851579.tif 000006
【図５】
0005851579.tif 000007